(57)【要約】【課題】運転者が操作画面を見なくても音楽再生の操作を行うことができる車載情報端末を提供する。【解決手段】携帯音楽プレイヤーが接続されているときに、その携帯音楽プレイヤーを操作するための操作画面を表示する。この操作画面では、画面の各辺の位置が分かれば操作ボタンの配置が分かるように、巻き戻しボタン３１、再生・一時停止ボタン３２および早送りボタン３３が、タッチパネルディスプレイの各辺に対応した配置でそれぞれ表示される。巻き戻しボタン３１は画面の左辺に沿って、再生・一時停止ボタン３２は画面の下辺に沿って、早送りボタン３３は画面の右辺に沿って、それぞれ配置される。【選択図】図４
2007206764.tif 000002
【特許請求の範囲】
【請求項１】
音楽データに基づいて楽曲を再生出力する音楽再生手段と、
前記音楽再生手段により楽曲を再生出力するときの操作を行うための複数の操作ボタンを、タッチパネルディスプレイの各辺に対応した配置でそれぞれ表示する操作ボタン表示手段と、
前記操作ボタン表示手段により表示された複数の操作ボタンに対するタッチパネル操作に応じて、前記音楽再生手段を制御する第一の操作制御手段を備えることを特徴とする車載情報端末。
【請求項２】
請求項１の車載情報端末において、
前記操作ボタン表示手段は、前記複数の操作ボタンを前記タッチパネルディスプレイの各辺に沿ってそれぞれ配置することを特徴とする車載情報端末。
【請求項３】
請求項１または２の車載情報端末において、
地図データに基づいて、地図画面を前記タッチパネルディスプレイに表示する地図画面表示手段をさらに備え、
前記操作ボタン表示手段は、前記地図画面表示手段により表示された地図画面上に前記複数の操作ボタンを表示することを特徴とする車載情報端末。
【請求項４】
請求項１〜３いずれか一項の車載情報端末において、
前記タッチパネルディスプレイのうち前記操作ボタンが表示されていない部分に対するタッチパネル操作によって入力された文字または記号を認識する文字入力認識手段と、
前記文字入力認識手段により認識された文字または記号に応じて、前記音楽再生手段を制御する第二の操作制御手段を備えることを特徴とする車載情報端末。
【請求項５】
請求項４の車載情報端末において、
前記第二の操作制御手段は、前記文字入力認識手段により認識された文字または記号に応じて、前記音楽再生手段に楽曲をランダムに再生出力させることを特徴とする車載情報端末。
【請求項６】
請求項４の車載情報端末において、
前記第二の操作制御手段は、前記文字入力認識手段により認識された文字または記号に応じて、前記音楽再生手段に再生出力させる楽曲を指定することを特徴とする車載情報端末。
【発明の詳細な説明】
【技術分野】
【０００１】
本発明は、車両に搭載されて音楽再生を行う車載情報端末に関する。
【背景技術】
【０００２】
従来、音楽ＣＤから取り込んだ音楽データを予め記憶しておき、ナビゲーション処理の実行中に、記憶されている音楽データに基づいて音楽再生を行うための再生ボタンを地図画面上に表示し、その再生ボタンがタッチ操作されると音楽を再生するナビゲーション装置が知られている（特許文献１参照）。
【０００３】
【特許文献１】特開２００１−２２１６４５号公報
【発明の開示】
【発明が解決しようとする課題】
【０００４】
ナビゲーション装置に表示される操作画面をタッチ操作して運転者が音楽再生の操作を行う場合、運転中に操作画面を注視することは危険であるため、操作画面を見なくても操作できるようにする必要がある。しかし、特許文献１に開示されるナビゲーション装置では、運転者が操作画面を見なければ、再生ボタンの位置が分からず音楽再生の操作を行うことができない。
【課題を解決するための手段】
【０００５】
請求項１の発明による車載情報端末は、音楽データに基づいて楽曲を再生出力する音楽再生手段と、音楽再生手段により楽曲を再生出力するときの操作を行うための複数の操作ボタンを、タッチパネルディスプレイの各辺に対応した配置でそれぞれ表示する操作ボタン表示手段と、操作ボタン表示手段により表示された複数の操作ボタンに対するタッチパネル操作に応じて、音楽再生手段を制御する第一の操作制御手段を備えるものである。
請求項２の発明は、請求項１の車載情報端末において、操作ボタン表示手段は、複数の操作ボタンをタッチパネルディスプレイの各辺に沿ってそれぞれ配置するものである。
請求項３の発明は、請求項１または２の車載情報端末において、地図データに基づいて地図画面をタッチパネルディスプレイに表示する地図画面表示手段をさらに備え、操作ボタン表示手段は、地図画面表示手段により表示された地図画面上に複数の操作ボタンを表示するものである。
請求項４の発明は、請求項１〜３いずれか一項の車載情報端末において、タッチパネルディスプレイのうち操作ボタンが表示されていない部分に対するタッチパネル操作によって入力された文字または記号を認識する文字入力認識手段と、文字入力認識手段により認識された文字または記号に応じて、音楽再生手段を制御する第二の操作制御手段を備えるものである。
請求項５の発明は、請求項４の車載情報端末において、第二の操作制御手段は、文字入力認識手段により認識された文字または記号に応じて、音楽再生手段に楽曲をランダムに再生出力させるものである。
請求項６の発明は、請求項４の車載情報端末において、第二の操作制御手段は、文字入力認識手段により認識された文字または記号に応じて、音楽再生手段に再生出力させる楽曲を指定するものである。
【発明の効果】
【０００６】
本発明によれば、運転者が操作画面を見なくても音楽再生の操作を行うことができる。
【発明を実施するための最良の形態】
【０００７】
本発明の一実施形態によるナビゲーション装置の構成を図１に示す。このナビゲーション装置は車両に搭載されており、ユーザのタッチパネル操作に応じて、自車両周辺の道路地図を表示し、設定された目的地まで自車両を案内する。また、携帯音楽プレイヤーを接続することにより、その携帯音楽プレイヤーに記録された音楽を再生出力することができる。ナビゲーション装置１は、制御回路１１、ＲＯＭ１２、ＲＡＭ１３、現在地検出装置１４、画像メモリ１５、表示モニタ１６、入力装置１７およびディスクドライブ１８を有しており、携帯音楽プレイヤー２が接続されている。ディスクドライブ１８には、地図データが記録されたＤＶＤ−ＲＯＭ１９が装填される。
【０００８】
制御回路１１は、マイクロプロセッサおよびその周辺回路からなり、ＲＡＭ１３を作業エリアとしてＲＯＭ１２に格納された制御プログラムを実行することにより、各種の処理や制御を行う。この制御回路１１により、ＤＶＤ−ＲＯＭ１９に記録された地図データに基づいて、たとえば道路地図の表示や目的地の設定、設定された目的地までの推奨経路の探索などが行われる。
【０００９】
現在地検出装置１４は、自車両の現在地を検出する装置であり、たとえば、自車両の進行方向を検出する振動ジャイロ１４ａ、車速を検出する車速センサ１４ｂ、ＧＰＳ衛星からのＧＰＳ信号を検出するＧＰＳセンサ１４ｃ等からなる。ナビゲーション装置１は、この現在地検出装置１４により検出された自車両の現在地に基づいて、推奨経路を探索するときの経路探索開始点を決定することができる。
【００１０】
画像メモリ１５は、表示モニタ１６に表示するための画像データを一時的に格納する。この画像データは、道路地図を表示するための道路地図描画用データや各種の図形データ等からなり、制御回路１１において、ＤＶＤ−ＲＯＭ１９に記録されている地図データに基づいて作成される。この画像メモリ１５に格納された画像データを用いて、表示モニタ１６に道路地図画像など各種の画像が表示される。
【００１１】
表示モニタ１６にはタッチパネル１６ａが組み合わされており、ユーザの指などによって表示モニタ１６上のいずれかの位置がタッチされると、そのタッチ位置を示す情報がタッチパネル１６ａから制御回路１１へ出力される。このタッチ位置情報に基づいて、そのとき表示モニタ１６に表示されていた画像のどの部分がタッチされたか制御回路１１によって判断される。本実施形態のナビゲーション装置１は、このようなタッチパネル１６ａと制御回路１１によって検出されるユーザからのタッチパネル操作に応じて、様々な処理が実行される。
【００１２】
入力装置１７は、ユーザからの様々な操作入力を受け付けるためのものであり、操作パネルやリモコンなどによって実現される。入力装置１７により、たとえば、目的地とする施設を検索するための検索条件の入力、地図のスクロール方向の指示、地図縮尺の変更などの操作が行われる。なお、これらの操作は上記のタッチパネル操作によっても行うことができる。そのため、入力装置１７は本実施形態のナビゲーション装置１において必須ではなく、備えられていなくてもよい。
【００１３】
ディスクドライブ１８は、装填されたＤＶＤ−ＲＯＭ１９より、道路地図を表示するための地図データを読み出す。この地図データには、目的地までのルート探索に用いられる経路計算データや、交差点名称および道路名称など、推奨経路に従って自車両を目的地まで誘導するために用いられる経路誘導データ、さらに道路を表す道路データなどが含まれている。また、河川や鉄道、地図上の各種施設等（ランドマーク）など、道路以外の地図形状を表す背景データなども地図データに含まれている。
【００１４】
道路データにおいて、道路区間を表す最小単位はリンクと呼ばれており、各道路は複数のリンクによって構成されている。リンク同士を接続している点はノードと呼ばれ、このノードはそれぞれに位置情報（座標情報）を有している。このノードの位置情報によって、リンク形状、すなわち道路の形状が決定される。なお、ここではＤＶＤ−ＲＯＭを用いた例について説明しているが、ＤＶＤ−ＲＯＭ以外の他の記録メディア、たとえばＣＤ−ＲＯＭやハードディスクなどより、地図データを読み出すこととしてもよい。
【００１５】
入力装置１７の操作やタッチパネル操作によってユーザから目的地が設定されると、ナビゲーション装置１は、現在地検出装置１４により検出された現在地を経路探索開始点として、前述の経路計算データに基づいて所定のアルゴリズムの演算を行うことにより、現在地から目的地までのルート探索を行う。ルート探索の結果求められた推奨経路は、その表示形態、たとえば表示色などを変えることによって、他の道路とは区別して道路地図上に表される。これにより、ユーザは推奨経路を表示モニタ１６に表示された道路地図上において認識することができる。また、この推奨経路に従って自車両が走行できるよう、ナビゲーション装置１は、ユーザに対して画像や音声などによる進行方向指示を行うことにより、自車両を誘導する。このように、道路地図を表示して推奨経路に従って自車両を目的地まで誘導することにより、目的地までのルート案内が行われる。
【００１６】
携帯音楽プレイヤー２は、ナビゲーション装置１に対して着脱可能な携帯型の汎用デジタル音楽再生装置であり、ナビゲーション装置１やパーソナルコンピュータなどの外部機器と接続するためのコネクタ、携帯使用時に音声出力するイヤホンを接続するためのコネクタ、音楽データを記録するための記録装置、充電池、表示画面、操作スイッチ等を有している。ユーザは、携帯音楽プレイヤー２をナビゲーション装置１から取り外し、自宅のパーソナルコンピュータと接続して、音楽ＣＤから取り込んだ音楽データや、インターネット経由でダウンロードした音楽データをパーソナルコンピュータから携帯音楽プレイヤー２へ転送することにより、所望の音楽データを携帯音楽プレイヤー２に記録することができる。これ以外の方法で音楽データを記録してもよい。なお、携帯音楽プレイヤー２の記録装置には、ハードディスクやフラッシュメモリなどが用いられる。
【００１７】
携帯音楽プレイヤー２は、ナビゲーション装置１に接続されると、制御回路１１によってその動作が制御される。このとき、ユーザはナビゲーション装置１のタッチパネル操作によって携帯音楽プレイヤー２の操作を行うことができる。たとえば、再生、一時停止、早送り、巻き戻し、トラック番号の指定、楽曲検索などの操作を、表示モニタ１６におけるタッチパネル操作によって行うことができる。なお、トラック番号とは、複数の楽曲によって構成される楽曲集（アルバム）内における各楽曲の順序を表している。
【００１８】
携帯音楽プレイヤー２は、ナビゲーション装置１のタッチパネル操作によって再生する楽曲が指定されると、前述のような方法によって予め記録された音楽データに基づいて、その指定された楽曲を再生し、音声信号を制御回路１１へ出力する。このとき、デジタル信号の状態で出力してもよいし、デジタル信号を復号したアナログ信号により出力してもよい。制御回路１は、携帯音楽プレイヤー２から出力された音声信号を必要に応じて復号および増幅した後、不図示のスピーカーへ出力する。このようにして、ユーザの指定した音楽がナビゲーション装置１において再生出力される。
【００１９】
図２は、ナビゲーション装置１および携帯音楽プレイヤー２の車両における設置位置の一例を示した図である。ナビゲーション装置１は、運転席左側のダッシュボード内に設置されており、前面には表示モニタ１６が配置される。運転者であるユーザがタッチパネル操作を行うときには、左手でタッチパネル操作を行うこととなるため、ユーザが右利きである場合は、細かいタッチパネル操作が困難となる。さらに、運転中には画面を注視できないため、タッチパネル操作が一層困難となる。
【００２０】
携帯音楽プレイヤー２は、ダッシュボードに設置された置台３によって固定される。置台３には、携帯音楽プレイヤー２の接続コネクタに合わせた位置に接続端子が配置されており、この接続端子はナビゲーション装置１と繋がっている。そのため、携帯音楽プレイヤー２が置台３に固定されることにより、ナビゲーション装置１と携帯音楽プレイヤー２が接続される。
【００２１】
携帯音楽プレイヤー２が接続されたナビゲーション装置１において、表示モニタ１６に表示される画面の例を図３に示す。この画面には、自車両周囲の道路地図が自車位置を示す自車位置マーク２１と共に表示されている。この画面において、「音楽」と書かれた携帯音楽プレイヤー２の操作を開始するための操作開始ボタン２２がタッチされると、図４に示すような携帯音楽プレイヤー２の操作画面が表示される。
【００２２】
図４の操作画面では、携帯音楽プレイヤー２を操作するための音楽プレイヤー操作ボタン３１、３２および３３が地図画面上に表示されている。操作ボタン３１は巻き戻しボタンであり、これがユーザによってタッチされると、再生する楽曲を巻き戻したり、１トラック前の楽曲を再生したりする。操作ボタン３２は再生・一時停止ボタンであり、これがユーザによってタッチされると、楽曲の再生を開始したり、再生中の楽曲を一時停止したりする。操作ボタン３３は早送りボタンであり、これがユーザによってタッチされると、再生する楽曲を早送りしたり、１トラック後の楽曲を再生したりする。
【００２３】
なお、図３の画面から図４の画面に切り替えられると、操作開始ボタン２２の代わりに戻るボタン２３が表示される。図４の画面において戻るボタン２３がタッチされると、図３の画面へと戻る。
【００２４】
音楽プレイヤー操作ボタン３１、３２および３３は、図４の操作画面において、表示モニタ１６の各辺に対応した配置でそれぞれ表示される。すなわち、巻き戻しボタン３１は画面の左辺に沿って、再生・一時停止ボタン３２は画面の下辺に沿って、早送りボタン３３は画面の右辺に沿って、それぞれ配置されている。このようにすることで、運転者であるユーザは画面の各辺の位置が分かれば操作ボタンの配置が分かるため、操作画面を見なくても音楽再生の操作を行うことができる。
【００２５】
図４の操作画面では、ユーザがタッチパネル操作によって文字を入力することにより、その入力文字に応じた操作を携帯音楽プレイヤー２に対して行うこともできる。その様子を図５に示す。ここでは、ユーザが画面上をなぞることにより「２」の文字を入力している様子を示している。このとき、表示モニタ１６において音楽プレイヤー操作ボタン３１〜３３が表示されていない部分に対して入力された文字が検出される。このようなタッチパネル操作が行われると、入力された「２」の文字がナビゲーション装置１において認識され、それに応じてトラック番号２の楽曲が再生される。このようにすることで、操作ボタンを用いた場合よりもさらに細かく具体的な操作を携帯音楽プレイヤー２に対して行うことができる。
【００２６】
「２」以外の文字が入力された場合も同様に、その入力文字に応じた様々な操作が行われる。たとえば他の数字が入力されると、その数字に対応するトラック番号の楽曲が再生される。さらに数字以外の文字を入力してもよい。たとえば「Ｒ」の文字が入力された場合は、携帯音楽プレイヤー２に記録されている楽曲をランダムな順序で再生するランダム再生が行われる。また、「Ｂ」の文字が入力された場合は、バック再生として１トラック前の楽曲が再生され、「Ｆ」の文字が入力された場合は、フォワード再生として１トラック後の楽曲が再生される。
【００２７】
さらに、入力された文字によって楽曲を検索する機能を設けてもよい。たとえば「Ａ」という文字が入力されると、その文字をタイトルに含む楽曲を検索して再生出力する。このとき、複数の文字によって単語を入力するようにしてもよい。タイトルだけでなく、アルバム名やアーティスト名などを検索対象としてもよい。また、文字ではなく記号を入力するようにしてもよい。たとえば、ユーザがお気に入りの楽曲を予め登録しておき、星印などの特定の記号がタッチパネル操作によって入力されたときには、そのお気に入りの楽曲を再生出力するようにする。以上説明したような方法により、再生出力する楽曲を指定することができる。なお、ここで説明した例の他にも、タッチパネル操作によって入力された文字や記号に応じて様々な操作を行うようにすることができる。
【００２８】
以上説明したようなタッチパネルによる携帯音楽プレイヤー２の操作を行う際に制御回路１１において実行されるフローチャートを図６に示す。このフローチャートは、ナビゲーション装置１に携帯音楽プレイヤー２が接続されることによって開始される。ステップＳ１０では、表示モニタ１６に操作開始ボタン２２を表示する。このとき、図３のように表示モニタ１６に道路地図が表示されている場合は、その道路地図の上に操作開始ボタン２２を表示すればよい。道路地図以外の画面、たとえば目的地入力画面や各種設定画面などが表示されている場合は、道路地図の画面に変わるまで待ってもよいし、そのまま道路地図の場合と同様にその画面上に表示してもよい。
【００２９】
ステップＳ２０では、ステップＳ１０で表示した操作開始ボタン２２がユーザのタッチパネル操作によって押されたか否かを判定する。押された場合は次のステップＳ３０へ進む。ステップＳ３０では、図４のように音楽プレイヤー操作ボタン３１、３２および３３を表示モニタ１６に表示する。なお、この動作に合わせて、操作開始ボタン２２から戻るボタン２３へと表示を変化させる。
【００３０】
ステップＳ４０では、ステップＳ３０で表示した音楽プレイヤー操作ボタン３１〜３３のうちのいずれかが、ユーザのタッチパネル操作によって押されたか否かを判定する。いずれかの操作ボタンが押された場合はステップＳ５０へ進み、ステップＳ５０において、携帯音楽プレイヤー２を制御し、その押された操作ボタンに対応する操作を携帯音楽プレイヤー２に対して行う。これにより、楽曲の巻き戻しや早送り、再生開始や一時停止などの操作が行われる。ステップＳ５０を実行したら、ステップＳ６０へ進む。一方、ステップＳ４０において操作ボタンが押されなかったと判定した場合は、ステップＳ５０を実行せずにステップＳ６０へ進む。
【００３１】
ステップＳ６０では、図５で説明したような文字入力操作がユーザのタッチパネル操作により行われたか否かを判定する。なお前述のように、このとき文字ではなく記号を入力してもよい。文字入力操作があった場合はステップＳ７０へ進み、ステップＳ７０において、入力された文字が何であるかを認識する。入力文字が認識されたらステップＳ８０へ進み、ステップＳ８０において、携帯音楽プレイヤー２を制御し、その入力文字に対応する操作を携帯音楽プレイヤー２に対して行う。これにより、トラック番号や楽曲名に含まれる文字などによって指定した楽曲が再生されたり、あるいはランダム再生が行われたりする。ステップＳ８０を実行したら、ステップＳ９０へ進む。一方、ステップＳ６０において文字入力操作がなかったと判定した場合は、ステップＳ７０およびＳ８０を実行せずにステップＳ９０へ進む。
【００３２】
ステップＳ９０では、戻るボタン２３がユーザのタッチパネル操作によって押されたか否かを判定する。押された場合はステップＳ１００へ進み、ステップＳ１００において、ステップＳ３０で表示した音楽プレイヤー操作ボタン３１、３２および３３を表示モニタ１６から消去する。なお、この動作に合わせて、戻るボタン２３から操作開始ボタン２２へと表示を変化させる。これにより、図３のような画面へと戻る。ステップＳ１００を実行したらステップＳ２０へ戻り、再び上記のような処理を繰り返す。
【００３３】
一方、ステップＳ９０において戻るボタン２３が押されなかったと判定した場合は、ステップＳ４０へと戻り、ステップＳ４０以降の処理を繰り返す。これにより、図４の操作画面を用いた携帯音楽プレイヤー２の操作が引き続きナビゲーション装置１において行われる。以上説明したようにして、図６のフローチャートが実行される。
【００３４】
以上説明した実施の形態によれば、次の作用効果を奏する。
（１）ステップＳ３０で音楽プレイヤー操作ボタンを表示するとき、その複数の操作ボタンを、タッチパネルディスプレイである表示モニタ１６の各辺に対応した配置でそれぞれ表示することとした。具体的には、複数の操作ボタンを表示モニタ１６の各辺に沿ってそれぞれ配置することとした。このようにしたので、運転者が操作画面を見なくても音楽再生の操作を行うことができる。
【００３５】
（２）また、ステップＳ３０で音楽プレイヤー操作ボタンを表示するとき、地図画面上にその複数の操作ボタンを表示することとしたので、ナビゲーション装置が推奨経路に従って自車両を目的地まで案内している途中であっても、ユーザは音楽再生の操作を行うことができる。
【００３６】
（３）表示モニタ１６のうち、音楽プレイヤー操作ボタンが表示されていない部分に対してタッチパネル操作により文字または記号が入力された場合、その入力された文字または記号を認識し（ステップＳ７０）、認識された文字または記号に応じて、携帯音楽プレイヤー２を制御し、その入力文字に対応する操作を携帯音楽プレイヤー２に対して行うこととした（ステップＳ８０）。たとえば、「Ｒ」の文字が入力された場合、それに応じて楽曲をランダムに再生出力する。また、たとえば数字や文字が入力された場合、それに応じてトラック番号を指定したり、楽曲名の一部にその文字を含む楽曲を検索したりすることにより、再生出力する楽曲を指定する。このようにしたので、操作ボタンを用いた場合よりもさらに細かく具体的な操作を行うことができる。
【００３７】
なお、上記の実施の形態では、ナビゲーション装置１に携帯音楽プレイヤー２を接続して、携帯音楽プレイヤー２に記憶された音楽データに基づいて楽曲を再生する場合の操作画面の例を説明したが、これ以外の方法で楽曲を再生する場合にも同様の操作画面を用いることができる。たとえば、音楽ＣＤを直接再生するＣＤプレイヤーなどのオーディオ装置や、あるいは音楽ＣＤから取り込んだ楽曲データを予め内蔵ハードディスクに記録しておき、その楽曲データに基づいて楽曲を再生するようなナビゲーション装置についても、本発明は適用可能である。すなわち、音楽データに基づいて楽曲を再生出力するものであれば、どのような車載機器においても本発明は適用可能である。
【００３８】
以上説明した実施の形態や各種の変形例はあくまで一例であり、発明の特徴が損なわれない限り、本発明はこれらの内容に限定されない。
【図面の簡単な説明】
【００３９】
【図１】本発明の一実施形態によるナビゲーション装置の構成を示すブロック図である。
【図２】車両における設置位置の一例を示す図である。
【図３】表示画面の一例である。
【図４】携帯音楽プレイヤーの操作画面例である。
【図５】文字入力の様子を示す図である。
【図６】タッチパネルによる携帯音楽プレイヤーの操作を行う際に実行されるフローチャートである。
【符号の説明】
【００４０】
１  ナビゲーション装置
２  携帯音楽プレイヤー
３  置台
１１  制御回路
１２  ＲＯＭ
１３  ＲＡＭ
１４  現在地検出装置
１５  画像メモリ
１６  表示モニタ
１７  入力装置
１８  ディスクドライブ
１９  ＤＶＤ−ＲＯＭ
【図１】
2007206764.tif 000003
【図２】
2007206764.tif 000004
【図３】
2007206764.tif 000005
【図４】
2007206764.tif 000006
【図５】
2007206764.tif 000007
【図６】
2007206764.tif 000008